(57)【特許請求の範囲】
【請求項１】
人体吊り上げ用補助具であって、中央から左右に振り分けた吊りベルト（１）の両下端にＤ環係止部（２）と、左右１対の脇ベルト（４）の頂点にＤ環係止部（２a）を設けてＤ環（３）を介して接続し、前記左右１対の脇ベルト（４）の両下端にベルト挿通部（５）をそれぞれに設けて、長さ調整用係止留具（６）を備えた胸ベルト（７）を挿通し、該胸ベルト（７）より上方の前記左右の脇ベルト（４）正面側に固着された正面ベルト（８）は、他の構成する各ベルトに比べて細身で長さ調整用の面ファスナー係合機構（９）を備えており、背面側の同位置にある背面ベルト（１０）を固着することで全体形状を維持し、さらに前記胸ベルト（７）が左右の脇下に当接する部分に緩衝帯（１１）を設けたことを特徴とする、人体吊り上げ用補助具。
【発明の詳細な説明】
【技術分野】
【０００１】
本発明は、主に介護施設や災害救助等に用いられる人体吊り上げ用補助具に関する。
【背景技術】
【０００２】
高齢化社会においては、身内による老々介護や介護施設の世話になるのが一般的である。しかしながら、寝たきりや痴呆症の被介護者は自分の意志で自由に身体を動かせないため、全体重を介護人が支えることになる。例えばベットから車いすに移す単純な作業でも、先ずベットに上体を起こし、被介護者を抱え上げて車いすに移す作業は、若い介護人でも相当な体力を要する過酷な作業であり、介護人の腰痛の訴えや介護職が敬遠される一因ともなっている。
【０００３】
また、身内による老々介護では介護人自身の体力も衰えているため、被介護者の下着の取り換えやトイレ等の下の世話をするためには、被介護人を吊り上げる昇降機に頼らざるを得なく、実際に昇降機をレンタルする場合には、被介護者を吊り上げる座面式（腰掛布）タイプ（特許文献１参照）の買い取り条件付きの貸し出しであった。
【０００４】
しかしながら、レンタル品では被介護者を抱え上げて腰掛布に座らせ、両足を足環に通してから吊り上げなければならず、さらには座面式のために下着の取り換えや、トイレ等の下の世話をする場合には使用できないという致命的な欠陥があり、より現状に即した吊り上げ補助具が望まれている。
【０００５】
また、昨今の異常気象による影響か大雨災害が多発しており、最近の傾向としては狭い地域での突発的災害が多いため、救助を求める人も多人数に上り、救助ヘリによる人体吊り上げ等の救出活動も頻繁に行われているが、さらに簡便で効率の良い人体吊り上げ具の開発が望まれている。
人体吊り上げ具の発明には、例えば、実全平０２−１３０６５４（特許文献１）がある。
【先行技術文献】
【特許文献】
【０００６】
【特許文献１】実全平０２−１３０６５４公報
【発明の概要】
【発明が解決しようとする課題】
【０００７】
本願出願人は、認知症で寝たきりの老妻を数年に亘り介護してきた経緯があり、病室で使用する簡易型吊り上げ機（昇降機）のレンタル品は、被介護者用の座面式（腰掛布）補助具の買い上げとセットでの貸し出しが条件であり、さらには座面式のために被介護者を抱え上げなければならず、下着の取り換えやトイレ及び下の世話等には対応できないという問題があった。
【０００８】
特許文献１は、主に災害救助を対象にした人体吊り上げ用避難具であり、被災者の身体を安定させる目的で足輪に両足を通し、腰掛布に座らせるタイプのため介護施設には不向きであった。被介護者を抱え上げることなく、ベットに上体を起こした状態で上半身に装着するだけで使用でき、被介護者を吊り上げた状態で下着の取り換えや下の世話も容易に行える等、介護人の身体的苦痛を軽減する簡易な人体つり上げ用補助具の開発が切に望まれていた。
【０００９】
本発明は、上記の問題に鑑み、長年の老老介護者としての経験から改良を重ね、介護者の身体的負担を軽減でき、また災害救助などでは不特定多数の被災者を効率よく装着できる、廉価で簡便な人体つり上げ用補助具の提供を課題としている。
【課題を解決するための手段】
【００１０】
中央から左右に振り分けた吊りベルト１の両下端にＤ環係止部２と、左右１対の脇ベルト４の頂点にＤ環係止部２aを設けてＤ環３を介して接続し、左右１対の脇ベルト４の両下端にベルト挿通部５をそれぞれに設け、長さ調整用係止留具６を備えた胸ベルト７を挿通する。胸ベルト７より上方の左右の脇ベルト４正面側に固着された正面ベルト８は、他の構成する各ベルトに比べて細身で長さが調整できる面ファスナー係合機構９を備えており、背面側の同位置にある背面ベルト１０を固着することで全体形状を維持し、さらに胸ベルト７が左右の脇下に当接する部分に緩衝帯１１を設ける。
【発明の効果】
【００１１】
本発明は、被介護者や災害被災者の身体を吊り上げる際の補助具であり、介護施設の場合は座面式でないので上半身に簡単に装着でき、人体吊り上げ器具（昇降機）と併用して使用する。例えば、認知症の被介護者は自分の意志で身体を自由に動かせないため介護者がすべてを補う必要があり、特に困難を伴う下着の取り換えやトイレ・及び下の世話等では、ベットに上体を起こした状態のまま上半身に補助具を装着し、そのまま昇降機で吊り上げた状態で行える。
【００１２】
本発明は、被介護者を抱え上げることなく余裕のある左右脇ベルトに腕を通して胸ベルトを締めて身体を固定し、さらに上方の開き止め用正面ベルトを体形に合わせて面ファスナーで係合することで、自分の意志で身体が自由にならない認知症の被介護者や幼児の、いわゆるバンザイ状態でのすっぽ抜けを防止できる。
【００１３】
本発明は、被介護者や災害被災者の様々な体形に左右されずに装着できるように、左右の脇ベルトには余裕を持たせ、また、胸ベルトが両脇下に当接する部分には吊り上げ時の体重による食い込みや痛みを和らげるために緩衝帯を設けており、また背面ベルトは左右の脇ベルト間の背面側に固着されているが、胸ベルトと正面ベルトはフリーなので使用者が大人でも子供でも、それぞれの体形に合わせての調節が可能である。
【００１４】
本発明は、実際に老々介護に携わった経験から改良を重ねて開発したものであり、介護施設では被介護者を抱え上げることなくトイレや下の世話ができ、災害救助では不特定多数を相手に迅速に装着しなければならず、被災者が全体形状を一見しただけで装着方法が理解できる、より簡便で廉価な人体つり上げ具を提供するものである。
【図面の簡単な説明】
【００１５】
【図１】本発明の一実施例の外観図である。
【図２】本発明の一実施例の装着時の正面図である。
【図３】本発明の一実施例の装着時の背面図である。
【図４】本発明の一実施例の装着時の側面図である。
【発明を実施するための形態】
【００１６】
人体吊り上げ用補助具であって、中央から左右に振り分けた吊りベルト１の両下端にＤ環係止部２と、左右１対の脇ベルト４の頂点にＤ環係止部２aを設けてＤ環３を介して接続し、左右１対の脇ベルト４の両下端にベルト挿通部５をそれぞれに設け、長さ調整用係止留具６を備えた胸ベルト７を挿通する。胸ベルト７より上方の左右の脇ベルト４正面側に固着された正面ベルト８は、他の構成する各ベルトに比べて細身で長さが調整できる面ファスナー係合機構９を備えており、背面側の同位置にある背面ベルト１０は固着し、さらに胸ベルト７が左右の脇下に当接する部分に緩衝帯１１を設ける。
ベルト挿通部５の４カ所に挿通された胸ベルト７と、左右の脇ベルト４間に固着された背面ベルト１０によって補助具の全体形状は維持され、また、正面側の胸ベルト７と正面ベルト８はフリーサイズなので簡単に装着でき、使用する大人や子供の体形に合わせて調整することができる。
【実施例】
【００１７】
本発明は、高齢化社会において身内による老々介護の過酷さを軽減するために、自らの実体験に基づいて改良を重ね開発したもので、主に介護従事者の負担軽減とともに災害時における救助ヘリによる人体吊り上げも多発していることから、より安全で簡便な人体吊り上げ具を目指したものである。
以下に実施例について、各図を参照にして本発明の作用及び動作を説明する。
【００１８】
図１は、本発明の一実施例の外観図である。
中央から左右に振り分けた吊りベルト１の両下端にＤ環係止部２と、左右１対の脇ベルト４の頂点にＤ環係止部２aを設けてＤ環３を介して接続し、左右１対の脇ベルト４の両下端にベルト挿通部５をそれぞれに設け、長さ調整用係止留具６が正面になるように胸ベルト７が挿通されている。胸ベルト７より上方に位置する正面ベルト８は、他の構成する各ベルトに比べて細身で長さが調整できる面ファスナー係合機構９を備えており、背面ベルト１０と同様に左右の脇ベルト４間の正面側と背面側にそれぞれ固着し、さらに胸ベルト７が左右の脇下に当接する部分には、吊り上げ地の体重による食い込み及び、痛み防止に緩衝帯１１が設けられている。
【００１９】
図２は、本発明の一実施例の装着時の正面図である。
余裕をもって形設された左右の脇ベルト４に使用者の両腕を通し、正面ベルト８と胸ベルト７はフリー設計なので、胸ベルト７の長さ調整用係止留具６を正面にして締め、身体を固定してさらに正面ベルト８の面ファスナー係合機構９で体形に合わせて係合することで、被介護者や災害被災者及び幼児等の吊り上げ時の、いわゆるバンザイ状態でのすっぽ抜けを防止する。
【００２０】
図３は、本発明の一実施例の装着時の背面図である。  
背面ベルト１０は左右の脇ベルト４間の背面側に固着されているが、ベルト挿通部５の４か所に挿通された胸ベルト７と相俟って、補助具の全体形状を維持する構造上の問題でもあり、災害救助等では被災者が装着方法に悩むことなく一見しただけで理解でき、自分で簡単に装着できるように工夫したものである。
【００２１】
図４は、本発明の一実施例の装着時の側面図である。
人体を吊り上げる際には使用者の全体重が両脇下にかかるため、胸ベルト７が両脇に食い込む痛みを和らげる目的でその部分には緩衝帯１１が設けられている。
なお、実施例では左右前後のベルト挿通部５に挿通された胸ベルト７の脇下に当接する点線部分に、厚さ１センチほどのポリエチレン材を巻き付けて対応をした。
【産業上の利用可能性】
【００２２】
本発明は、高齢化社会における老々介護の過酷な現状に鑑み、自らの実体験を基に開発したものであり、主に介護職従事者の身体的苦痛を和らげる目的と、昨今の異常気象の影響下で大雨災害時に救助ヘリによる救出活動が頻繁に行われていることから、簡便で迅速に装着できる廉価な人体吊り上げ用補助具を提供して産業に貢献するものである。
【符号の説明】
【００２３】
１    吊りベルト
２    Ｄ環係止部
２ａ  Ｄ環係止部
３    Ｄ環
４    脇ベルト
５    ベルト挿通部
６    係止留具
７    胸ベルト
８    正面ベルト
９    面ファスナー係合機構
１０  背面ベルト
１１  緩衝帯
【要約】      （修正有）【課題】介護施設や災害救助にも対応できる、簡便な人体吊り上げ用補助具を提供する。【解決手段】中央から左右に振り分けた吊りベルト１の両下端にＤ環係止部２と、左右１対の略Ｕ字形状の脇ベルト４の頂点にＤ環係止部２ａを設けてＤ環３を介して接続し、左右１対の脇ベルト４の両下端にベルト挿通部５をそれぞれに設け、長さ調整用係止留具６を備えた胸ベルト７を挿通する。胸ベルト７の上方に位置する正面ベルト８は、他の構成する各ベルトに比べて細身で長さが調整できる面ファスナー係合機構９を備えており、背面ベルト１０と同様に左右の脇ベルト４間の正面側と背面側にそれぞれ固着し、さらに胸ベルト７が左右の脇下に当接する部分には、吊り上げ地の体重による食い込み及び、痛み防止に緩衝帯１１が設けられている。【選択図】図１【図１】
0006890913.tif 000002
【図２】
0006890913.tif 000003
【図３】
0006890913.tif 000004
【図４】
0006890913.tif 000005